(57)【要約】      （修正有）【課題】底面の形状と寸法を変化させることのできる買物バッグを提供する。【解決手段】一実施例においては、前身頃と後身頃を有する買物バッグ１が、該買物バッグの外底面２の長手方向に延びる中央線に沿って並べられた複数の第１の留め具と、複数の第１の留め具のいずれとも係合可能に構成された第２の留め具であって、外底面２の長手方向の両端ないし両端付近に設けられた２つの第２の留め具と、を備える。【選択図】図１
0003221759.tif 000002
【実用新案登録請求の範囲】
【請求項１】
前身頃と後身頃を有する買物バッグにおいて、
該買物バッグの外底面の長手方向に延びる中央線に沿って並べられた複数の第１の留め具と、
上記複数の第１の留め具のいずれとも係合可能に構成された第２の留め具であって、上記外底面の長手方向の両端ないし両端付近に設けられた２つの第２の留め具と、
を備える、買物バッグ。
【請求項２】
前身頃と後身頃を有する買物バッグにおいて、
該買物バッグの外底面の長手方向に延びる中央線に沿って並べられた複数の第１の留め具と、
上記複数の第１の留め具のいずれとも係合可能に構成された第２の留め具であって、上記外底面の長手方向の両端ないし両端付近から延在する帯状体に設けられた２つの第２の留め具と、
を備える、買物バッグ。
【請求項３】
前身頃と後身頃を有する買物バッグにおいて、
該買物バッグの外底面の短手方向に延びる両側辺に接続した該買物バッグの両側面の上下方向に延びる中央線に沿って並べられた複数の第１の留め具と、
上記複数の第１の留め具のいずれとも係合可能に構成された第２の留め具であって、上記両側面の下端ないし下端付近に設けられた２つの第２の留め具と、
を備える、買物バッグ。
【請求項４】
前身頃と後身頃を有する買物バッグにおいて、
該買物バッグの外底面の短手方向に延びる両側辺に接続した該買物バッグの両側面の上下方向に延びる中央線に沿って並べられた複数の第１の留め具と、
上記複数の第１の留め具のいずれとも係合可能に構成された第２の留め具であって、上記両側面の下端ないし下端付近から延在する帯状体に設けられた２つの第２の留め具と、
を備える、買物バッグ。
【請求項５】
第１の留め具は、ボタンホックの雄側及び雌側のうちの一方であり、
第２の留め具は、上記ボタンホックの雄側及び雌側のうちの他方であることを特徴とする、請求項１〜４のいずれかに記載の買物バッグ。
【請求項６】
上記前身頃の所定の箇所と上記後身頃の所定の箇所とが係着可能となるように、１つの第３の留め具が所定の箇所に設けられ或いは複数の第３の留め具が所定の箇所に上下方向に並ぶように設けられていることを特徴とする、請求項１〜５のいずれかに記載の買物バッグ。
【請求項７】
前身頃と後身頃を有する買物バッグにおいて、
該買物バッグの外底面の長手方向に延びる中央線に沿って延在するベルトを備え、
上記ベルトの一端部が上記外底面の長手方向の一端付近に固定されている一方で、上記ベルトの他端部が上記外底面の長手方向の他端付近に固定された支持杆に係回されかつスライダに取り付けられており、該スライダは上記ベルトに沿って摺動させることができるように構成されていることを特徴とする、買物バッグ。
【請求項８】
上記前身頃の所定の箇所と上記後身頃の所定の箇所とが係着可能となるように、１つの留め具が所定の箇所に設けられ或いは複数の留め具が所定の箇所に上下方向に並ぶように設けられていることを特徴とする、請求項７に記載の買物バッグ。
【請求項９】
概ねＬ字形の形状に形成された底板であって、該買物バッグの内底面に収まる寸法となるように折り畳まれ得るように折り目の付された底板をさらに備える、請求項１〜８のいずれかに記載の買物バッグ。
【考案の詳細な説明】
【技術分野】
【０００１】
本考案は、買物バッグに関し、詳しくは、スーパーマーケットやコンビニエンスストアで弁当や寿司を購入した際に、弁当箱や寿司折りの矩形の形状に応じて、底面の形状と寸法を変化させることのできる買物バッグに関する。
【背景技術】
【０００２】
コンビニエンスストアやスーパーマーケットで買い物をする際に、その店からレジ袋が提供される。しかし、プラスチックごみ削減を目的として２０２０年にはレジ袋の原則有料化が義務付けられることから、レジ袋を有料化する店が増えており、自分の買物袋（所謂マイバッグ）を使って買い物する人も増えている。
【０００３】
しかし、従来の買物袋の底面は、弁当箱や寿司折りの底面全体をカバーするほどの面積がないので、買物袋内で弁当箱や寿司折りが傾いてしまい、内容物が偏ってしまうことがある。また、買物袋内にワインボトル等の細長い商品を収納した場合において、その細長い商品が買物袋内において転倒してしまうことがある。
【先行技術文献】
【特許文献】
【０００４】
【特許文献１】実用新案登録第３１１８７９８号公報
【特許文献２】実開昭５８−８２１１４号公報
【特許文献３】特許第４２０９９３０号公報
【考案の概要】
【考案が解決しようとする課題】
【０００５】
本考案は、コンビニエンスストア等で購入した食品の容器の形状と寸法に応じて買物バッグの平底の形状と寸法を変化させることのできる買物バッグを提供することを目的とする。さらには、その買物バッグ内に細長い食品等を収納したときに買物バッグ内で細長い食品等が倒れてしまうことを防ぐことを目的とする。
【課題を解決するための手段】
【０００６】
一実施例においては、前身頃と後身頃を有する買物バッグにおいて、該買物バッグの外底面の長手方向に延びる中央線に沿って並べられた複数の第１の留め具と、複数の第１の留め具のいずれとも係合可能に構成された第２の留め具であって、外底面の長手方向の両端ないし両端付近に設けられた２つの第２の留め具と、を備える、買物バッグを提供する。
【０００７】
他の実施例においては、前身頃と後身頃を有する買物バッグにおいて、該買物バッグの外底面の長手方向に延びる中央線に沿って並べられた複数の第１の留め具と、複数の第１の留め具のいずれとも係合可能に構成された第２の留め具であって、外底面の長手方向の両端ないし両端付近から延在する帯状体に設けられた２つの第２の留め具と、を備える、買物バッグを提供する。
【０００８】
他の実施例においては、前身頃と後身頃を有する買物バッグにおいて、該買物バッグの外底面の短手方向に延びる両側辺に接続した該買物バッグの両側面の上下方向に延びる中央線に沿って並べられた複数の第１の留め具と、複数の第１の留め具のいずれとも係合可能に構成された第２の留め具であって、上記両側面の下端ないし下端付近に設けられた２つの第２の留め具と、を備える、買物バッグを提供する。
【０００９】
他の実施例においては、前身頃と後身頃を有する買物バッグにおいて、該買物バッグの外底面の短手方向に延びる両側辺に接続した該買物バッグの両側面の上下方向に延びる中央線に沿って並べられた複数の第１の留め具と、複数の第１の留め具のいずれとも係合可能に構成された第２の留め具であって、両側面の下端ないし下端付近から延在する帯状体に設けられた２つの第２の留め具と、を備える、買物バッグを提供する。
【００１０】
さらには、第１の留め具は、ボタンホックの雄側及び雌側のうちの一方であり、第２の留め具は、上記ボタンホックの雄側及び雌側のうちの他方であり得る。
【００１１】
また、前身頃の所定の箇所と後身頃の所定の箇所とが係着可能となるように、１つの第３の留め具が所定の箇所に設けられ或いは複数の第３の留め具が所定の箇所に上下方向に並ぶように設けられている。
【００１２】
さらに他の実施例においては、前身頃と後身頃を有する買物バッグにおいて、  該買物バッグの外底面の長手方向に延びる中央線に沿って延在するベルトを備え、ベルトの一端部が外底面の長手方向の一端付近に固定されている一方で、ベルトの他端部が外底面の長手方向の他端付近に固定された支持杆に係回されかつスライダに取り付けられており、スライダはベルトに沿って摺動させることができるように構成されていることを特徴とする、買物バッグを提供する。
【００１３】
また、前身頃の所定の箇所と後身頃の所定の箇所とが係着可能となるように、１つの留め具が所定の箇所に設けられ或いは複数の留め具が所定の箇所に上下方向に並ぶように設けられている。
【００１４】
さらには、概ねＬ字形の形状に形成された底板であって、該買物バッグの内底面に収まる寸法となるように折り畳まれ得るように折り目の付された底板をさらに備える。
【図面の簡単な説明】
【００１５】
【図１】本考案の一実施例における買物バッグを示す図。
【図２】図１に示した買物バッグの下部の拡大図。
【図３】底面に平底が画定された図１の買物バッグを示す図。
【図４】買物バッグの底面を示す図。
【図５】買物バッグの底面を示す図。
【図６】他の実施例における買物バッグを示す図。
【図７】長方形の形状の平底が画定された買物バッグを示す図。
【図８】概ね正方形の形状の平底が画定された買物バッグを示す図。
【図９】他の実施例における買物バッグを示す図。
【図１０】図９に示した買物バッグの下部の拡大図。
【図１１】底面に平底が画定された図１０の買物バッグを示す図。
【図１２】買物バッグの底面を示す図。
【図１３】買物バッグの底面を示す図。
【図１４】買物バッグが折り畳まれてポーチの形態となる様子を示す図。
【図１５】ワイン等の細長い物を収納した買物バッグを示す図。
【図１６】折り畳み可能に構成された概ねＬ字形の形状の底板を示す図。
【考案を実施するための形態】
【００１６】
本考案の買物バッグ１について、添付の図面を参照しつつ説明する。なお、以下の詳細な説明における「ボタンホックの雄側及び雌側」は、面ファスナ等の他の形式の第１の留め具及び第２の留め具に置き換えられ得ることに留意されたい。
【００１７】
図１は、本考案の一実施例における買物バッグ１を示す。買物バッグ１の上部に手提げ用の持ち手４が設けられ、買物バッグ１の正面側にある前身頃６と、買物バッグ１の背面側となる後身頃８と、を備えている。図１（ａ）は、買物バッグ１の正面（前身頃）を示し、図１（ｂ）は買物バッグ１の一側面を示し、図１（ｃ）は買物バッグ１の外底面２を示す。
【００１８】
一実施例においては、買物バッグ１の外底面２の長手方向に延びる中央線に沿ってボタンホック１０が設けられている。詳しくは、ボタンホック１０の雄側１０２が外底面２の両端ないし両端付近に配置されているとともに、これら２つの雄側１０２を結ぶ直線上に、ボタンホック１０の雌側１０４，１０６，１０８が並べられている。図１（ｃ）に示されるように、雌側１０４，１０６，１０８は、２つの雄側１０２を結ぶ直線の垂直二等分線に関して線対称となる位置に配置され得る。
【００１９】
図２は、図１に示した買物バッグ１の下部を拡大して示している。外底面２の両端に配置されているボタンホック１０の雄側１０２を、図２の矢印Ａ，Ｂ，Ｃ方向に動かして、雌側１０４，１０６，１０８の所望の１つと嵌合させると（ボタンホック１０の雄側１０２と所望の雌側１０４，１０６，１０８との嵌合は、雄側１０２と所望の雌側１０４，１０６，１０８とを結ぶ直線の垂直二等分線に沿って底面２が折り返されることによる）、買物バッグ１の底面に、矩形の弁当箱や寿司折りを収容するのに適した四角形の形状の平底が画定される。
【００２０】
図３は、買物バッグ１の外底面２のボタンホック１０の雄側１０２と雌側１０４とが嵌合され、四角形の形状の平底が画定されたときの買物バッグ１を示している。図３（ａ）は、買物バッグ１の正面（前身頃）を示し、図３（ｂ）は、買物バッグ１の一側面を示し、図３（ｃ）は、買物バッグ１の外底面２を示す。
【００２１】
図４は、買物バッグ１の外底面２のボタンホック１０の雄側１０２と雌側１０６とが嵌合されたときの外底面２を示す。図４の外底面２の短手方向の寸法は、図３（ｃ）の外底面２の短手方向の寸法よりも長くなるが、図４の外底面２の長手方向の寸法は、図３（ｃ）の外底面２の長手方向の寸法よりも短くなっている。
【００２２】
図５は、買物バッグ１の底面２のボタンホック１０の雄側１０２と雌側１０８とが嵌合されたときの外底面２を示す。図５の外底面２の短手方向の寸法は、図４の外底面２の短手方向の寸法よりも長くなるが、図５の外底面２の長手方向の寸法は、図４の外底面２の長手方向の寸法より短くなっている。
【００２３】
図６は、他の実施例における買物バッグ３０を示している。図６（ａ）は買物バッグ３０の正面（前身頃）を示し、図６（ｂ）は買物バッグ３０の一側面３２を示し、図６（ｃ）は買物バッグ３０の外底面３４を示す。
【００２４】
買物バッグ３０の上部に、手提げ用の持ち手３６が設けられている。また、買物バッグ３０は、その正面側に位置する前身頃３８と、背面側に位置する後身頃４０と、該買物バッグ３０の外底面３４の短手方向に延びる両側辺に接続した該買物バック３０の両側面の上下方向に並べられたボタンホック４２と、を備える。
【００２５】
一実施例においては、買物バッグ３０の外底面の短手方向に延びる両側辺に接続した該買物バッグの両側面３２の上下方向に延びる中央線に沿ってボタンホック４２が設けられている。一実施例においては、ボタンホック４２の雄側４２２が買物バッグ３０の両側面３２の下端ないし下端付近に配置され、ボタンホック４２の雌側４２４，４２６が雄側４２２の上方に配置される。複数の雌側４２４，４２６をどの位置に配置するかについては、買物バッグ３０の外底面３４にどのような形状及び寸法の平底を画定させたいかに応じて決めるとよい。
【００２６】
図６（ｄ）は、買物バッグ３０の下部を拡大して示す。買物バッグ３０の両側面３２に設けられたボタンホック４２の雄側４２２と雌側４２４，４２６の一方とを結ぶ直線の垂直二等分線に沿って両側面３２が矢印Ｄ方向へ折り返されると、雄側４２２と雌側４２４，４２６の一方とが嵌合する。ボタンホック４２の雄側４２２と雌側４２４，４２６の一方とが嵌合すると、買物バッグ３０の外底面３４に四角形の形状の平底が画定される。
【００２７】
図７は、買物バッグ３０の両側面３２のボタンホック４２の雄側４２２と、雌側４２４とが嵌合し、外底面３４に長方形の形状の平底が画定されたときの買物バッグ３０を示す。図７（ａ）は買物バッグ３０の正面（前身頃）を示し、図７（ｂ）は買物バッグ３０の一側面３２を示し、図７（ｃ）は買物バッグ３０の外底面３４を示す。
【００２８】
図８は、買物バッグ３０の両側面３２のボタンホック４２の雄側４２２と、雌側４２６とが嵌合し、外底面３４に概ね正方形の形状の平底が画定されたときの買物バッグ３０を示す。図８（ａ）は買物バッグ３０の正面（前身頃）を示し、図８（ｂ）は買物バッグ３０の一側面３２を示し、図８（ｃ）は買物バッグ３０の外底面３４を示す。
【００２９】
他の実施例においては、買物バッグ１，３０が、外底面２，３４の長手方向の両端ないし両端近傍から延在する帯状体（図示せず）を備え、この帯状体に、ボタンホックの雄側又は雌側（第１又は第２の留め具）が設けられる場合もある。
【００３０】
さらに他の実施例における買物バッグ６０は、図９に示されるように、買物バッグ６０の外底面６２の長手方向に沿って延在するベルト７０を備えている。図９（ａ）は、買物バッグ６０の正面を示し、図９（ｂ）は買物バッグ６０の一側面を示し、図９（ｃ）は買物バッグ６０の外底面６２を示す。
【００３１】
ベルト７０の一端部７２が買物バッグ６０の外底面６２の長手方向の一端付近に固定されている一方で、ベルト７０の他端部７４は、外底面６２の他端付近に固定されている支持杆７６に係回されてからスライダ７８に固定されている。このスライダ７８は、ベルト７０に沿って摺動させることができるように構成されているとともに、所定の位置に停止させることができるように構成されている。
【００３２】
図１０は、図９に示した買物バッグ６０の下部を拡大して示す。図１０において矢印Ｅで示されている方向に沿って、スライダ７８を摺動させると、買物バッグ６０の外底面６２の長手方向の両端が外底面６２の中央へ寄せられ、買物バッグ６０の外底面６２の形状が、正方形の形状へと近づくように変形する。
【００３３】
図１１は、買物バッグ６０の外底面６２に設けられたベルト７０のスライダ７８が摺動した後の、外底面６２に平底が画定された買物バッグ６０を示している。図１１（ａ）は買物バッグ６０の正面（前身頃）を示し、図１１（ｂ）は買物バッグ６０の一側面を示し、図１１（ｃ）は買物バッグ６０の外底面６２を示す。
【００３４】
図１２は、買物バッグ６０の外底面６２に設けられたベルト７０のスライダ７８を摺動させ、図１１に示した位置よりもベルト７０の端部７２に近づけたときの外底面６２を示す。スライダ７８の摺動後には、外底面６２の長手方向の両端がさらに外底面６２の中央へ寄せられ、外底面６２の幅が、図１１に示した外底面６２の幅よりも広くなる。すなわち、図１１及び図１２に示されているように、スライダ７８が摺動することに伴って買物バッグ６０の両側面が互いに接近し、買物バッグ６０の外底面６２に画定される平底の形状が正方形の形状へと近づく。
【００３５】
図１３は、買物バッグ６０の外底面６２に設けられたベルト７０のスライダ７８が摺動し、図１２に示した位置よりもさらにベルト７０の端部７２に近づいたときの外底面６２を示している。スライダ７８を摺動させると、外底面６２の両端がさらに外底面６２の中央に寄せられ、外底面６２の幅が、図１２に示した外底面６２の幅よりも広くなる。
【００３６】
さらなる実施例においては、図１４（ａ）に示されているように、買物バッグ１の前身頃又は後身頃の所定の位置に、１つ又は複数のポケット２００が設けられている。図１４（ｂ）は、１つのポケット２００内へ買物バッグ１の他の部分が折り込まれてポーチの形態に変形されたときの状態を示している。
【００３７】
また、図１４（ｃ）は、買物バッグ１が折り畳まれ、面ファスナ２０２を使ってポーチの形態に変形された状態を示す。さらに、図１４（ｄ）は、買物バッグ１が折り畳まれて、紐２０４と面ファスナ２０６を使ってポーチの形態に変形された状態を示している。
【００３８】
図１５に示されている実施例においては、買物バッグ１内にワインボトル等の細長い物が収容されている。一実施例においては、買物バッグ１の前身頃の所定の箇所と後身頃の所定の箇所とが係着可能となるように、１つの留め具２０８が所定の箇所に設けられ或いは複数の留め具２０８が所定の箇所に上下方向に並ぶように設けられている。第３の留め具２０８が係着されると、図１５に示されているように、係着した箇所がストッパーとして機能し、買物バッグ１内に収容されたワインボトル等の細長い物が転倒してしまうことがない。
【００３９】
図１６（ａ）は、買物バッグの底面について、互いに異なる３つの形状及び寸法を有する底面を１つの図にまとめて示している。図１６（ｂ）は、概ねＬ字形の形状に形成された底板３００であって、複数の折り目が付されている底板３００を示す。この底板３００は、買物バッグの底面の形状の変化に応じて、図１６（ｃ）〜（ｅ）のいずれかに示されるように折り畳まれてから、買物バッグの内底面に敷かれるものである。他の実施例における底板３００は、複数の部材が繋ぎ合わされて概ねＬ字形の形状に形成されたものであり、それらの部材の繋ぎ目に沿って折り畳むことができるように構成されている。
【符号の説明】
【００４０】
１…買物バッグ
２…外底面
４…持ち手
６…前身頃
８…後身頃
１０…ボタンホック
１０２…雄側
１０４…雌側
１０６…雌側
１０８…雌側
３０…買物バッグ
３２…側面
３４…外底面
３６…持ち手
３８…前身頃
４０…後身頃
４２…ボタンホック
４２２…雄側
４２４…雌側
４２６…雌側
６０…買物バッグ
６２…外底面
６４…持ち手
６６…前身頃
６８…後身頃
７０…ベルト
７２…端部
７４…端部
７６…支持杆
７８…スライダ
２００…ポケット
２０２…面ファスナ
２０４…紐
２０６…面ファスナ
２０８…留め具
３００…（Ｌ字形の）底板
【図１】
0003221759.tif 000003
【図２】
0003221759.tif 000004
【図３】
0003221759.tif 000005
【図４】
0003221759.tif 000006
【図５】
0003221759.tif 000007
【図６】
0003221759.tif 000008
【図７】
0003221759.tif 000009
【図８】
0003221759.tif 000010
【図９】
0003221759.tif 000011
【図１０】
0003221759.tif 000012
【図１１】
0003221759.tif 000013
【図１２】
0003221759.tif 000014
【図１３】
0003221759.tif 000015
【図１４】
0003221759.tif 000016
【図１５】
0003221759.tif 000017
【図１６】
0003221759.tif 000018
【手続補正書】
【提出日】平成31年4月10日(2019.4.10)
【手続補正１】
【補正対象書類名】実用新案登録請求の範囲
【補正対象項目名】全文
【補正方法】変更
【補正の内容】
【実用新案登録請求の範囲】
【請求項１】
前身頃と後身頃を有する買物バッグにおいて、
該買物バッグの外底面の長手方向に延びる中央線に沿って並べられた複数の第１の留め具と、
上記複数の第１の留め具のいずれとも係合可能に構成された第２の留め具であって、上記外底面の長手方向の両端ないし両端付近に設けられた２つの第２の留め具と、
を備える、買物バッグ。
【請求項２】
前身頃と後身頃を有する買物バッグにおいて、
該買物バッグの外底面の長手方向に延びる中央線に沿って並べられた複数の第１の留め具と、
上記複数の第１の留め具のいずれとも係合可能に構成された第２の留め具であって、上記外底面の長手方向の両端ないし両端付近から延在する帯状体に設けられた２つの第２の留め具と、
を備える、買物バッグ。
【請求項３】
前身頃と後身頃を有する買物バッグにおいて、
該買物バッグの外底面の短手方向に延びる両側辺に接続した該買物バッグの両側面の上下方向に延びる中央線に沿って並べられた複数の第１の留め具と、
上記複数の第１の留め具のいずれとも係合可能に構成された第２の留め具であって、上記両側面の下端ないし下端付近に設けられた２つの第２の留め具と、
を備える、買物バッグ。
【請求項４】
前身頃と後身頃を有する買物バッグにおいて、
該買物バッグの外底面の短手方向に延びる両側辺に接続した該買物バッグの両側面の上下方向に延びる中央線に沿って並べられた複数の第１の留め具と、
上記複数の第１の留め具のいずれとも係合可能に構成された第２の留め具であって、上記両側面の下端ないし下端付近から延在する帯状体に設けられた２つの第２の留め具と、
を備える、買物バッグ。
【請求項５】
第１の留め具は、ボタンホックの雄側及び雌側のうちの一方であり、
第２の留め具は、上記ボタンホックの雄側及び雌側のうちの他方であることを特徴とする、請求項１〜４のいずれかに記載の買物バッグ。
【請求項６】
上記前身頃の所定の箇所と上記後身頃の所定の箇所とが係着可能となるように、１つの第３の留め具が所定の箇所に設けられ或いは複数の第３の留め具が所定の箇所に上下方向に並ぶように設けられていることを特徴とする、請求項１〜５のいずれかに記載の買物バッグ。
【請求項７】
概ねＬ字形の形状に形成された底板であって、該買物バッグの内底面に収まる寸法となるように折り畳まれ得るように折り目の付された底板をさらに備える、請求項１〜６のいずれかに記載の買物バッグ。